(57)【要約】      （修正有）【課題】小規模農家に適用できて小型化された低コストの鱗茎菜類の根茎切断装置を提供する。【解決手段】鱗茎菜類の根茎を切断すべく縦にして並設された二枚の丸鋸刃２２，２２を有する切断部２０と、両丸鋸刃２２，２２の回動軸を回動可能に支持した支持部２５と、回動軸に動力を伝達して丸鋸刃２２，２２を回転させる駆動部と、水平方向に把持した状態の鱗茎菜類の根茎を切断可能な位置に手動で移送するための略箱状のガイド体１０と、ガイド体１０に形成されたガイド穴１１ａ〜１１ｃと、各ガイド穴１１ａ〜１１ｃの位置に合わせて設けられた、ガイド体１０における鱗茎菜類の鱗茎の位置決め体３５、及び、切断処理された鱗茎菜類の鱗茎の排出用部材と、ガイド体１０の上部に設けられたエアー導入部とを備える。【選択図】図１
0003105410.tif 000002
【実用新案登録請求の範囲】
【請求項１】
鱗茎菜類の根茎を切断すべく並設された二枚の切断刃を有する切断部と、該両切断刃の駆動部とを備えた鱗茎菜類の根茎切断装置において、水平方向に把持した状態の鱗茎菜類の根茎を切断可能な位置に手動で移送するためのガイド体が設けられ、さらに、ガイド体における鱗茎菜類の鱗茎の位置決め体、及び、切断処理された鱗茎菜類の鱗茎の排出用部材が設けられてなることを特徴とする鱗茎菜類の根茎切断装置。
【請求項２】
ガイド体は、両切断刃、及び、位置決め体が内装可能な略箱状を呈し、該ガイド体には、水平方向に把持した状態の鱗茎菜類の根茎の挿入位置としての開口始端部と、鱗茎菜類の根茎の切断位置としての閉塞終端部と、挿入位置から切断位置までの移送路としての連通部とを有するガイド穴が形成されてなることを特徴とする請求項１に記載の鱗茎菜類の根茎切断装置。
【請求項３】
切断部の切断刃は、縦方向の丸鋸刃からなり、しかも、大きさの異なるガイド体のガイド穴が、丸鋸刃の円周の異なる位置に形成され、さらに、位置決め体、及び、排出用部材が、各ガイド穴の位置に合わせて設けられてなることを特徴とする請求項２に記載の鱗茎菜類の根茎切断装置。
【請求項４】
切断処理した鱗茎菜類の根茎の切り屑を吹き飛ばすエアー導入部が設けられてなることを特徴とする請求項１乃至３のいずれか１項に記載の鱗茎菜類の根茎切断装置。
【考案の詳細な説明】
【技術分野】
【０００１】
本考案は、例えば、らっきょう、葫、玉葱などの鱗茎菜類の根茎を切断処理する鱗茎菜類の根茎切断装置に関する。
【背景技術】
【０００２】
従来の鱗茎菜類の根茎切断装置は、搬送ベルトの両側に設けられた鱗茎菜類の鱗茎の切断刃と、搬送ベルトの移送方向に沿って設けられた位置決め体と、搬送ベルトによって移送される鱗茎菜類の鱗茎を位置決め体側に押圧する押圧機構とから構成されているものが公知になっている（例えば、特許文献１参照）。
【０００３】
そして、搬送ベルトで移送された鱗茎菜類の鱗茎を、押圧機構によって位置決め体側に押圧し、鱗茎菜類の鱗茎を位置決めした状態で、鱗茎菜類の根茎を切断刃で切断している。
【０００４】
【特許文献１】特開平５―３２９７９８号公報（第１―６頁、図１乃至図９）
【考案の開示】
【考案が解決しようとする課題】
【０００５】
しかしながら、従来の鱗茎菜類の根茎切断装置は、投入された複数の鱗茎菜類の鱗茎を機械的に自動で位置決めした状態で鱗茎菜類の根茎を切断処理するため、装置が大掛かりで広い設置スペースが必要になり、設備費用も高く、小規模農家には不向きであるという問題がある。
【０００６】
そこで、本考案は上記問題点に鑑み、小規模農家に適用できて、小さな設置スペースで低コストの鱗茎菜類の根茎切断装置を提供することを目的とする。
【課題を解決するための手段】
【０００７】
上記課題を解決するために、本考案の鱗茎菜類の根茎切断装置は、請求項１に示す如く、鱗茎菜類の根茎を切断すべく並設された二枚の切断刃を有する切断部と、該両切断刃の駆動部とを備えた鱗茎菜類の根茎切断装置において、水平方向に把持した状態の鱗茎菜類の根茎を切断可能な位置に手動で移送するためのガイド体が設けられ、さらに、ガイド体における鱗茎菜類の鱗茎の位置決め体、及び、切断処理された鱗茎菜類の鱗茎の排出用部材が設けられてなるものである。
【０００８】
したがって、水平方向に把持された状態の鱗茎菜類の根茎がガイド体によって切断位置に移送される。この際、位置決め体によって、鱗茎菜類の鱗茎が切断位置まで位置決めされた状態で移送されるため、鱗茎菜類の根茎が並設された二枚の切断刃で容易に切断される。その後、切断処理された鱗茎菜類の鱗茎のみが落下して排出用部材を介して外部に排出される。
【０００９】
また、請求項２に示す如く、水平方向に把持した状態の鱗茎菜類の根茎の挿入位置としての開口始端部と、鱗茎菜類の根茎の切断位置としての閉塞終端部と、挿入位置から切断位置までの移送路としての連通部とを有するガイド穴を、両切断刃、及び、位置決め体が内装された箱状のガイド体に形成するようにしてもよい。
【００１０】
よって、両切断刃が略箱状のガイド体に内装されることで、安全性が確保される。その上、水平方向に把持した状態の鱗茎菜類の根茎の挿入位置及び切断位置が、ガイド体のガイド穴の開口始端部及び閉塞終端部によって位置決めされるため、鱗茎菜類の根茎を容易に切断処理できる。
【００１１】
さらに、請求項３に示す如く、切断部の切断刃として、縦方向に並設された二枚の丸鋸刃を使用し、大きさの異なるガイド体のガイド穴を、丸鋸刃の円周の異なる位置に形成し、位置決め体、及び、排出用部材を、各ガイド穴の位置に合わせて設けるのが好ましい。
【００１２】
この場合、切断部の切断刃として、縦方向に並設された二枚の丸鋸刃を使用することで、丸鋸刃の円周の異なる位置に切断位置を形成できるようになり、大きさの異なる鱗茎菜類の鱗茎を丸鋸刃の円周上で切断処理できる。
【００１３】
加えて、請求項４に示す如く、エアー導入部によって、切断処理した鱗茎菜類の根茎の切り屑を吹き飛ばすようにしてもよい。
【００１４】
そうすれば、切断処理した際の切り屑によって、ガイド穴や丸鋸刃の歯が目詰まりすることがなく、切断作業が円滑に行われる。
【考案の効果】
【００１５】
以上説明したように、本考案の鱗茎菜類の根茎切断装置によれば、水平方向に把持した状態の鱗茎菜類の根茎を切断可能な位置に手動で移送するガイド体を設けているため、装置を小型化できると共に、コストの大幅削減に貢献できる。
【００１６】
また、箱状のガイド体に形成したガイド穴によって、鱗茎菜類の根茎の切断位置まで容易に移送することができる。
【００１７】
さらに、大きさの異なるガイド体のガイド穴を、丸鋸刃の円周の異なる位置に形成したので、複数の切断位置を丸鋸刃の円周上に形成することができ、大きさの異なる鱗茎菜類の鱗茎を丸鋸刃の円周上の切断位置において容易に選別できる。
【００１８】
加えて、エアー導入部を設けることで、鱗茎菜類の根茎の切り屑が吹き飛ばされるようになり、鱗茎菜類の根茎の切断処理作業の効率が向上する。
【考案を実施するための最良の形態】
【００１９】
本考案を実施するための最良の実施形態につき、図１〜図４を参照して説明する。
まず、本考案の鱗茎菜類の根茎切断装置は、図１〜図３に示すように、移動可能に構成された架台１と、該架台１の上枠に取り付けられた天板６と、該天板６に設置されたガイド体１０と、該ガイド体１０に内装された切断部２０と、該切断部２０の切断刃（以下丸鋸刃２２，２２という）の支持部２５と、丸鋸刃２２，２２の駆動部３０と、一方の丸鋸刃２２の近傍に設けられた鱗茎菜類の鱗茎の位置決め体３５と、ガイド体１０に設けられた鱗茎菜類の鱗茎の排出用部材と、架台１に設けられた回収部と、ガイド体１０の上部に設けられたエアー導入部４５とから構成されている。
【００２０】
架台１は、横長の略直方体形状に骨組みされている。架台１の上枠の正面には、駆動部の起動スイッチ２、及び、非常停止スイッチ３が並設されている。下枠の一側にはキャスタ４が取り付けられると共に、下枠の別側には架台１の移動を規制するストッパ５が形成されている。
【００２１】
天板６は、平面視矩形状を呈し、天板６の略中央部には、切断処理された鱗茎菜類の鱗茎を架台１の底部側に排出するための排出口７が穿設されている。
【００２２】
ガイド体１０は、縦長の略直方体の箱形状を呈している。このガイド体１０によって、丸鋸刃２２，２２が、後述するガイド体１０のガイド穴１１ａ〜１１ｃ、及び、ガイド体１０の背面開口部１２を除いて覆われることで、作業者の安全性が確保されている。さらに、図示しないカバーが、ガイド体１０の背面に装着可能に構成されており、カバーによって、ガイド体１０の背面開口部１２が閉塞され、ガイド体１０のガイド穴１１ａ〜１１ｃを除いて丸鋸刃２２，２２の略全体が覆われて、作業者の安全性がより一層確保される。
【００２３】
さらに、ガイド体１０の上部、中央部、下部には、断面コ字形状のガイド穴１１ａ〜１１ｃが形成されている。この各ガイド穴１１ａ〜１１ｃによって、水平方向に把持した状態の鱗茎菜類の根茎が切断可能な位置に手動で移送できる。しかも、各ガイド穴１１ａ〜１１ｃは、鱗茎菜類の根茎の挿入位置としての略矩形状の開口始端部と、鱗茎菜類の根茎の切断位置としての閉塞終端部と、挿入位置から切断位置までの移送路としての連通部とを有している一方、各ガイド穴１１ａ〜１１ｃは、上から順にＳサイズ、Ｍサイズ、Ｌサイズの鱗茎菜類の根茎が切断処理可能な幅寸法と奥行き寸法とを有している。加えて、各ガイド穴１１ａ〜１１ｃは、丸鋸刃２２，２２の複数の歯が円周に位置することと、切断処理した鱗茎菜類の鱗茎を各サイズに合わせて選別すべく排出することを考慮して、中央部のガイド穴１１ｂの奥行き寸法を小さく、下部のガイド穴１１ｃの奥行き寸法を大きく、上部のガイド穴１１ａの奥行き寸法を、中央部のガイド穴１１ｂの奥行き寸法よりも大きく、下部のガイド穴１１ｃの奥行き寸法よりも小さくしている。
【００２４】
また、ガイド体１０の左右の両側面の後側の略中央部には、後述する丸鋸刃２２，２２の回動軸２１の挿通穴１３が形成されている。この挿通穴１３によって丸鋸刃２２，２２の交換が容易になる。
【００２５】
なお、上述したガイド体１０は、鱗茎菜類の根茎を切断位置に移送する役目と、作業者の安全性を確保する役目とを担っているため、箱状としたが、ガイド体１０としては、水平方向に把持した状態の鱗茎菜類の根茎を切断可能な位置に手動で移送できるものであればよく、略Ｌ字形状の板体であってもよい。
【００２６】
切断部２０は、ガイド体１０の左右の両側板の略中央部に回動可能に支持された回動軸２１と、回動軸２１の両側に所定の間隔、即ち鱗茎菜類の根茎の切断可能な位置（６５〜６６ｍｍ）に縦方向に並設された二枚の丸鋸刃２２，２２とを装備している。
【００２７】
支持部２５は、ガイド体１０の左右の両側板の略中央部にそれぞれ配設された回動軸２１の両軸受け部２６，２６と、架台１の天板６の排出口７の左右の両側縁部に取り付けられた両軸受け部２６，２６の支持体２７，２７とを具備している。
【００２８】
駆動部３０は、回動軸２１の一端部に固着されたプーリ３１と、ガイド体１０の側方、即ち架台１の天板６の裏面の左側部に取り付けられたモータ３２と、該モータの駆動軸３３に固着されたプーリ３１と、回動軸２１のプーリ３１、及び、駆動軸３３のプーリ３１に捲回されたベルト３４とを備えている。そして、モータ３２の回転力がベルト３４やプーリ３１，３１を介して回動軸２１に伝達され、両丸鋸刃２２，２２が回動する。
【００２９】
位置決め体３５は、図２を正面から見て右側の丸鋸刃２２の内側に所定の間隔（５〜６ｍｍ）をおいて平行に立設されている。この理由としては、切断処理された鱗茎菜類の鱗茎を、該鱗茎に若干の根が付いた状態で納品するためである。さらに、位置決め体３５には、ガイド体１０のガイド穴１１ａ〜１１ｃと略同じ位置で、且つ、略同一形状の位置決め穴３６ａ〜３６ｃが形成されている。
【００３０】
なお、位置決め体３５は、図示に限定されるものでない。例えば、二本のピンを平行して設け、該両ピンの間隙で鱗茎菜類の鱗茎を位置決めするようにしてもよい。要するに、位置決め体３５としては、鱗茎菜類の鱗茎の位置を確立した状態で、鱗茎菜類の鱗茎を切断処理できればよい。
【００３１】
排出用部材は、上端部がガイド体１０の上部のガイド穴１１ａの前側に位置すると共に、下端部が架台１の後方に導出されたＳサイズ排出シュート４０と、上端開口部がガイド体１０の中央部のガイド穴１１ｂの下側に位置ずると共に、下端開口部が架台１の下方右側に導出されたＭサイズ排出シュート４１と、上端開口部がガイド体１０の下部のガイド穴１１ｃの下側に位置すると共に、下端開口部が架台１の下方左側に導出されたＬサイズ排出シュート４２とを有している。各排出シュート４０〜４２によって、切断処理された鱗茎菜類の鱗茎が各サイズに合わせて選別されることになる。
【００３２】
なお、Ｍサイズ排出シュート４１とＬサイズ排出シュート４２の境界部位は、下部のガイド穴１１ｃによって分断されているが、分断されたＭサイズ排出シュート４１の上端部の下側が前方に若干傾斜しているため、切断処理されたＭサイズの鱗茎菜類の鱗茎がＬサイズ排出シュート４２に落下することはない。また、Ｌサイズ排出シュート４２の上端開口部の後側が、Ｓサイズ排出シュート４０の裏面に接しているため、切断処理されたＬサイズの鱗茎菜類の鱗茎が外部に漏れ出ることはない。即ち、各排出シュート４０〜４２は、大きさの異なる鱗茎菜類の鱗茎が混在することを防止できて、切断処理された各サイズの鱗茎菜類の鱗茎を確実に選別できる構成になっている。
【００３３】
回収部は、架台の後方、即ちＳサイズ排出シュート４０の取出し口の下方に載置される回収箱（図示せず）と、架台１の下枠に敷設された敷板８の両側、即ちＭサイズ排出シュート４１の取出し口の下方、及び、Ｌサイズ排出シュート４２の取出し口の下方にそれぞれ載置される回収箱（図示せず）とを有している。切断処理された鱗茎菜類の鱗茎が、自重落下によって各回収箱の上面開口部から回収されるようになっている。
【００３４】
エアー導入部４５は、ガイド体１０の前板の上部、上板の上部、左右の両側板の上部、背板の上部と、ガイド体１０の上部に内設された仕切り板４６とによって囲繞されて形成されたエアー導入路４７と、仕切り板４６の前部の両側に貫設された排気ノズル４８，４８と、エアー導入路４７に給気するコンプレッサー（図示せず）と、その一端部がコンプレッサーに接続されたホース４９とを備えている。しかも、ホース４９は、ホース４９の別端部に設けられた接続部材５０、ガイド体１０の背板の上部に貫設された継手５１を介してガイド体１０に接続されている。そして、コンプレッサーからの空気がホース４９を介してエアー導入路４７に導入される一方、エアー導入路４７に導入された空気が排気ノズル４８，４８を通ってガイド体１０の下方、即ち切断部２０側に排気される。
【００３５】
つぎに鱗茎菜類の根茎切断装置の使用態様につき図４を参照して説明する。作業者がガイド体１０の前板の正面に向かって座り、起動スイッチ２をオンしてモータ３２を駆動させ、二枚の丸鋸刃２２，２２を回動させる。
【００３６】
この状態で、作業者は、収穫された鱗茎菜類（本実施形態ではらっきょうＡとする）の根Ｂ及び茎Ｃを両手で把持して、らっきょうＡの鱗茎Ｄと根Ｂとの境界部位を位置決め体３５の位置決め穴３６ａ〜３６ｃに位置させた状態で、ガイド体１０のガイド穴１１ａ〜１１ｃに挿入する。
【００３７】
そうすれば、二枚の丸鋸刃２２，２２によって、らっきょうＡの根Ｂ及び茎Ｃが切断されて、らっきょうＡの鱗茎Ｄのみが残る。この際、切断処理されたらっきょうＡの鱗茎Ｄには、根Ｂが若干付いた状態となっている。一方、コンプレッサーから導入されたエアーによって、丸鋸刃２２，２２で切断された切り屑が外部に吹き飛ばされ、丸鋸刃２２，２２の歯に切り屑が付着せず、らっきょうＡの切断処理作業が円滑に行われる。
【００３８】
そして、切断処理されたらっきょうＡの鱗茎Ｄは、各サイズに合わせて選別された状態で回収箱に回収される。即ち、ＳサイズのらっきょうＡの鱗茎Ｄは、Ｓサイズ排出シュート４０の傾斜面を転動してガイド体１０の後方の回収箱に回収される。ＭサイズのらっきょうＡの鱗茎Ｄは、Ｍサイズ排出シュート４１を通って架台１の敷板８の右側の回収箱に回収される。ＬサイズのらっきょうＡの鱗茎Ｄは、Ｌサイズ排出シュート４２を通って架台１の敷板８の左側の回収箱に回収される。
【００３９】
なお、前記実施形態の場合、略直方体形状のガイド体１０を使用したが、円柱体、多角柱体断面楕円形状の柱体、ドーム形状などのガイド体１０としてもよい。
【００４０】
また、ガイド体１０の各ガイド穴１１ａ〜１１ｃの奥行き寸法及び幅寸法、ガイド穴１１ａ〜１１ｃの位置や鱗茎菜類の排出位置は図示に限定されるものではない。要するに、ガイド穴１１ａ〜１１ｃの奥行き寸法及び幅寸法は、鱗茎菜類の各サイズに合わせて切断処理でき、ガイド穴１１ａ〜１１ｃの位置や鱗茎菜類の排出位置は、切断処理された鱗茎菜類を各サイズに合わせて選別回収できればよく、適宜変更可能である。
【００４１】
さらに、前記実施形態の場合、切断部２０の切断刃として、回転運動によって鱗茎菜類の根茎を切断処理する丸鋸刃２２，２２を使用したが、これに限定されるものではなく、直線運動によって鱗茎菜類の根茎を切断処理する切断刃であってもよい。
【００４２】
加えて、前記実施形態の場合、一つのガイド体１０を一つの架台１に設置するようにしたが、作業効率の向上を図るべく、複数のガイド体１０を一つの架台１に並設するようにしてもよい。
【産業上の利用可能性】
【００４３】
本考案の鱗茎菜類の根茎切断装置は、らっきょうだけではなく、蓮根、葫、玉ねぎなどの鱗茎菜類の根茎を切断する場合にも利用できる。
【図面の簡単な説明】
【００４４】
【図１】本考案の鱗茎菜類（らっきょう）の根茎切断装置の一実施形態を示した斜視図である。
【図２】図１の切断正面図である。
【図３】図１の側断面図である。
【図４】鱗茎菜類（らっきょう）の根茎を切断処理する状態を示した図である。
【符号の説明】
【００４５】
１  架台
２  起動スイッチ
３  非常停止スイッチ
４  キャスタ
５  ストッパ
６  天板
７  排出口
８  敷板
１０  ガイド体
１１ａ〜１１ｃ  ガイド穴
１２  背面開口部
１３  挿通穴
２０  切断部
２１  回動軸
２２  丸鋸刃（切断刃）
２５  支持部
２６  軸受け部
２７  支持体
３０  駆動部
３１  プーリ
３２  モータ
３３  駆動軸
３４  ベルト
３５  位置決め体
３６ａ〜３６ｃ  位置決め穴
４０〜４２  排出シュート（排出用部材）
４５  エアー導入部
４６  仕切り板
４７  エアー導入路
４８  排気ノズル
４９  ホース
５０  接続部材
５１  継手
Ａ  らっきょう（鱗茎菜類）
Ｂ  根
Ｃ  茎
Ｄ  鱗茎
【図１】
0003105410.tif 000003
【図２】
0003105410.tif 000004
【図３】
0003105410.tif 000005
【図４】
0003105410.tif 000006